【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】
バックライトに照明される液晶パネルと、
該液晶パネルの制御に関わる信号を定期的に発生するパネル制御信号発生手段と、
前記液晶パネルに画像データを出力して表示制御を行う表示制御手段とを備えた遊技機において、
前記パネル制御信号発生手段によって発生した信号に基づいて、バックライトを一時的に減光若しくは消灯させるバックライト休止手段を備え、
前記パネル制御信号発生手段を液晶パネルに入力される水平同期信号を発生する水平同期信号発生手段により構成し、
前記バックライト休止手段は、水平同期信号が液晶パネルに入力されるタイミングに合わせて、前記バックライトを一時的に減光もしくは消灯させることを特徴とする遊技機。
【請求項２】
バックライトに照明される液晶パネルと、
該液晶パネルの制御に関わる信号を定期的に発生するパネル制御信号発生手段と、
前記液晶パネルに画像データを出力して表示制御を行う表示制御手段とを備えた遊技機において、
前記パネル制御信号発生手段によって発生した信号に基づいて、バックライトを一時的に減光若しくは消灯させるバックライト休止手段を備え、
前記パネル制御信号発生手段を液晶パネルに入力される垂直同期信号を発生する垂直同期信号発生手段により構成し、
前記バックライト休止手段は、垂直同期信号が液晶パネルに入力されるタイミングに合わせて、前記バックライトを一時的に減光もしくは消灯させることを特徴とする遊技機。
【請求項３】
バックライトに照明される液晶パネルと、
該液晶パネルの制御に関わる信号を定期的に発生するパネル制御信号発生手段と、
前記液晶パネルに画像データを出力して表示制御を行う表示制御手段とを備えた遊技機において、
前記パネル制御信号発生手段によって発生した信号に基づいて、バックライトを一時的に減光若しくは消灯させるバックライト休止手段を備え、
前記パネル制御信号発生手段を液晶パネルの画像表示に係わる同期信号を発生する画像表示用同期信号発生手段により構成し、
前記液晶パネルには、前記同期信号の発生に同期して、液晶パネルの可視表示領域への画像出力が行われないブランク期間が発生するとともに、
前記バックライト休止手段は、ブランク期間の発生タイミングに合わせて、前記バックライトを一時的に減光もしくは消灯させることを特徴とする遊技機。
【請求項４】
前記バックライトは、前記バックライト休止手段によりそれぞれ独立して消灯可能な複数系統の光源を備え、
前記バックライト休止手段は、前記複数系統のうちの一部の系統の光源のみを消灯させることを特徴とする請求項１〜３の何れか一項に記載の遊技機。
【請求項５】
前記バックライトもしくはバックライト近傍の熱を検出可能な熱検出手段を備え、
前記バックライト休止手段は、前記熱検出手段の検出状態と、前記パネル制御発生手段によって発生した信号とに基づいて、前記バックライトを一時的に減光若しくは消灯させることを特徴とする請求項１〜４の何れか一項に記載の遊技機。
【手続補正２】
【補正対象書類名】明細書
【補正対象項目名】０００９
【補正方法】変更
【補正の内容】
【０００９】
【課題を解決するための手段】
請求項１に記載の発明は、バックライトに照明される液晶パネルと、
該液晶パネルの制御に関わる信号を定期的に発生するパネル制御信号発生手段と、
前記液晶パネルに画像データを出力して表示制御を行う表示制御手段とを備えた遊技機において、
前記パネル制御信号発生手段によって発生した信号に基づいて、バックライトを一時的に減光若しくは消灯させるバックライト休止手段を備え、
前記パネル制御信号発生手段を液晶パネルに入力される水平同期信号を発生する水平同期信号発生手段により構成し、
前記バックライト休止手段は、水平同期信号が液晶パネルに入力されるタイミングに合わせて、前記バックライトを一時的に減光もしくは消灯させることを特徴としている。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
また、水平同期信号は、例えば、定期的に発生する制御信号としての垂直同期信号より高い周波数、すなわち、短い周期で発生するので、水平同期信号に基づいてバックライトを消灯もしくは減光させた場合に、高速で消灯と点灯もしくは減光と増光を繰り返すことになり、遊技者にはバックライトの明るさが変化していることを気付かれない。
画像データは、水平同期信号と重ならないように出力されるので、水平同期信号が出力された際に、バックライトを消灯もしくは減光するようにすると、液晶パネルに表示される画像データが更新されないタイミングで、バックライトが消灯（減光）することから、バックライトの電圧変化によって発生するノイズ等が画像データに与える影響を制御できることになり、綺麗な画像を出力することができる。
【手続補正５】
【補正対象書類名】明細書
【補正対象項目名】００１６
【補正方法】変更
【補正の内容】
【００１６】
請求項２に記載の発明は、バックライトに照明される液晶パネルと、
該液晶パネルの制御に関わる信号を定期的に発生するパネル制御信号発生手段と、
前記液晶パネルに画像データを出力して表示制御を行う表示制御手段とを備えた遊技機において、
前記パネル制御信号発生手段によって発生した信号に基づいて、バックライトを一時的に減光若しくは消灯させるバックライト休止手段を備え、
前記パネル制御信号発生手段を液晶パネルに入力される垂直同期信号を発生する垂直同期信号発生手段により構成し、
前記バックライト休止手段は、垂直同期信号が液晶パネルに入力されるタイミングに合わせて、前記バックライトを一時的に減光もしくは消灯させることを特徴としている。
【手続補正６】
【補正対象書類名】明細書
【補正対象項目名】００１７
【補正方法】変更
【補正の内容】
【００１７】
請求項２に記載の発明によれば、上述の水平同期信号に代えて垂直同期信号が液晶パネルに入力されるタイミングに合わせて、前記バックライトを一時的に減光もしくは消灯させることになる。垂直同期信号は、水平同期信号よりは長い周期で定期的に出力されるが、垂直同期信号毎の消灯（減光）を人間が認識できない程度には短い周期となっており、さらに、垂直同期信号が画像データと重ならないように出力されるので、周期が長いことを除けば、上述の水平同期信号の場合とほぼ同様の作用効果を得ることができる。さらに、水平同期信号よりも長い周期毎にバックライトが消灯もしくは減光させられるので、一回当りの消灯時間もしくは減光時間を等しいものとすれば、水平動同期信号に基づいて短い周期でバックライトを消灯（減光）した場合よりも、垂直同期信号に基づいて長い周期でバックライトを消灯（減光）した場合の方が、液晶パネルの表示画面が明るくなる。
【手続補正７】
【補正対象書類名】明細書
【補正対象項目名】００１８
【補正方法】変更
【補正の内容】
【００１８】
請求項３に記載の発明は、バックライトに照明される液晶パネルと、
該液晶パネルの制御に関わる信号を定期的に発生するパネル制御信号発生手段と、
前記液晶パネルに画像データを出力して表示制御を行う表示制御手段とを備えた遊技機において、
前記パネル制御信号発生手段によって発生した信号に基づいて、バックライトを一時的に減光若しくは消灯させるバックライト休止手段を備え、
前記パネル制御信号発生手段を液晶パネルの画像表示に係わる同期信号を発生する画像表示用同期信号発生手段により構成し、
前記液晶パネルには、前記同期信号の発生に同期して、液晶パネルの可視表示領域への画像出力が行われないブランク期間が発生するとともに、
前記バックライト休止手段は、ブランク期間の発生タイミングに合わせて、前記バックライトを一時的に減光もしくは消灯させることを特徴としている。
【手続補正８】
【補正対象書類名】明細書
【補正対象項目名】００１９
【補正方法】変更
【補正の内容】
【００１９】
請求項３に記載の発明によれば、液晶パネルの遊技者に見える領域（可視表示領域）に出力される画像データが処理されるタイミングと、ブランク期間は時間的に異なるので、バックライトの消灯及び点灯や、減光及び増光によるノイズ等が画像データに与える不具合を防止できる。すなわち、ブランク期間に対応する部分に画像データが出力されてノイズによる影響を受けたとしても、液晶パネルの可視表示領域に出力されない（可視表示領域の外側の不可視の仮想表示領域に出力される）画像データなので、画像データがノイズ等により破壊されたとしても遊技者には見えず、問題が発生しない。
【手続補正９】
【補正対象書類名】明細書
【補正対象項目名】００２１
【補正方法】変更
【補正の内容】
【００２１】
請求項４に記載の発明は、請求項１〜３の何れか一項に記載の遊技機において、
前記バックライトは、前記バックライト休止手段によりそれぞれ独立して消灯可能な複数系統の光源を備え、
前記バックライト休止手段は、前記複数系統のうちの一部の系統の光源のみを消灯させることを特徴としている。
【手続補正１０】
【補正対象書類名】明細書
【補正対象項目名】００２３
【補正方法】変更
【補正の内容】
【００２３】
請求項４に記載の発明によれば、バックライト休止手段は、一部の系統の光源のみを消灯させるので、バックライトの光源の全てが同時に消灯及び点灯することがなく、一部の系統の光源が消灯した後に点灯した際に、他の系統の光源は連続して点灯した状態となる。これにより、全ての光源が同時に消灯して点灯することにより通常の電流の数倍以上となる大きな突入電流が発生するのを抑制し、光源を点滅させることにより繰り返し生じる突入電流によって光源が発熱するのを抑制することができる。なお、同じ系統の光源だけを毎回消灯するようにすると同じ系統の光源だけ寿命が延びることになってしまうので、消灯する系統を順次切り替えることが好ましい。
【手続補正１１】
【補正対象書類名】明細書
【補正対象項目名】００２４
【補正方法】変更
【補正の内容】
【００２４】
請求項５に記載の発明は、請求項１〜４の何れか一項に記載の遊技機において、
前記バックライトもしくはバックライト近傍の熱を検出可能な熱検出手段を備え、
前記バックライト休止手段は、前記熱検出手段の検出状態と、前記パネル制御発生手段によって発生した信号とに基づいて、前記バックライトを一時的に減光若しくは消灯させることを特徴としている。
【手続補正１２】
【補正対象書類名】明細書
【補正対象項目名】００２５
【補正方法】変更
【補正の内容】
【００２５】
ここで、熱検出手段とは、周囲の熱を検出して熱（温度）に対応する信号もしくは熱（温度）変化に対応する信号を出力するものである。
請求項５に記載の発明によれば、例えば、熱検出手段により検出されたバックライトの温度が予め設定された基準値より高い場合には、バックライトの消灯時間を長くしたり、バックライトの消灯する回数を多くしたり、バックライトに複数の光源がある場合に、一度に消灯する光源の数を増やしたりしてバックライトの発熱を抑えることができる。また、バックライトの温度が基準値より低い場合には、バックライトの消灯時間を短くしたり、バックライトの消灯する回数を少なくしたり、バックライトに複数の光源がある場合に、一度に消灯する光源の数を減らしたりすることで、バックライトの温度制御を行いながらバックライトの光度を上げることができる。また、上述のようにバックライトを消灯してバックライトの寿命を延ばすことができる。
すなわち、バックライトの発熱時の冷却と、液晶表示装置の明るさの維持とのバランスを効果的に保つことができる。